(57)【特許請求の範囲】
【請求項１】
広帯域無線通信受信機のために、レーキ受信機の復調フィンガを動的に割り当てる方法であって、
信号が受信された複数の周波数キャリアに関連する複数の品質測定値を受信することと、
これら品質測定値を比較し、増大された合計スループットにおいて信号を復調するために、前記レーキ受信機の復調フィンガの、複数の復調器への割当を決定することと、
前記割当にしたがって、前記複数の復調器に、前記レーキ受信機の復調フィンガを割り当てることと、
全体スループットにおける予測された変化に少なくとも部分的に基づいて、前記複数の復調器のうちの第１の復調器から第２の復調器へ、１または複数の復調フィンガを再割当することと、ここで、前記全体スループットにおける予測された変化は、前記第１の復調器に関連する周波数キャリアのパケット誤り率（ＰＥＲ）における可能性のある変化に少なくとも部分的に基づいて予測される、
を備える方法。
【請求項２】
前記品質測定値は、所望の信号品質を達成するように前記信号を復調するために必要とされるリソースの量と、前記複数の周波数キャリアのおのおのによって送信された信号とから決定された信号対雑音比（ＳＮＲ）である請求項１に記載の方法。
【請求項３】
前記品質測定値は、前記複数の周波数キャリアのおのおのによって受信されたデータのパケット誤り率（ＰＥＲ）である請求項１に記載の方法。
【請求項４】
前記第１の復調器および／または前記第２の復調器に関連する周波数キャリアの品質測定値における変化に少なくとも部分的に基づいて、前記第１の復調器から前記第２の復調器へ、前記１または複数の復調フィンガを再割当し、その結果、増大された全体スループットをもたらすようにしたことをさらに備える請求項１に記載の方法。
【請求項５】
前記第１の復調器に関連する周波数キャリアのＳＮＲにおける増加に少なくとも部分的に基づいて、前記第１の復調器から、前記第２の復調器へと、前記１または複数の復調フィンガが再割当される請求項４に記載の方法。
【請求項６】
前記第２の復調器に関連する周波数キャリアのＳＮＲにおける減少に少なくとも部分的に基づいて、前記第１の復調器から、前記第２の復調器へと、前記１または複数の復調フィンガが再割当される請求項４に記載の方法。
【請求項７】
前記１または複数の復調フィンガが、イコライザによって受信された１または複数の信号を復調するために割り当てられた復調器に関連付けられる、請求項１に記載の方法。
【請求項８】
前記割当にしたがって、前記信号の復調から得られたシンボルを復号するために、前記レーキ受信機の復調フィンガを、時間ベースで割り当てることをさらに備える請求項１に記載の方法。
【請求項９】
無線通信装置であって、
信号が受信され復調された複数のキャリアに関する信号対雑音比（ＳＮＲ）および／またはパケット誤り率（ＰＥＲ）を判定し、前記ＳＮＲおよび／またはＰＥＲに影響を与える複数の復調器に、レーキ受信機の復調フィンガを動的に割り当て、適切な割当を決定し、前記適切な割当を利用する復調器によって信号を復調し、全体スループットにおける予測された変化に少なくとも部分的に基づいて、前記複数の復調器のうちの第１の復調器から第２の復調器へ、１または複数の復調フィンガを再割当する、ここで、前記全体スループットにおける予測された変化は、前記第１の復調器に関連する周波数キャリアのパケット誤り率（ＰＥＲ）における可能性のある変化に少なくとも部分的に基づいて予測される、ように構成された少なくとも１つのプロセッサを備える無線通信装置。
【請求項１０】
前記少なくとも１つのプロセッサはさらに、前記第１の復調器および／または前記第２の復調器に関連する周波数キャリアの品質測定値における変化に少なくとも部分的に基づいて、前記第１の復調器から前記第２の復調器へ、前記１または複数の復調フィンガを再割当し、その結果、増大された全体スループットをもたらす請求項９に記載の装置。
【請求項１１】
前記少なくとも１つのプロセッサはさらに、前記割当にしたがって、前記信号の復調から得られたシンボルを復号するために、前記レーキ受信機の復調フィンガを、時間ベースで割り当てる請求項９に記載の装置。
【請求項１２】
マルチキャリア・レーキ受信機の復調フィンガの動的な割当を容易にする無線通信装置であって、
信号が受信された複数のキャリアの品質測定値を受信する手段と、
全体スループットを改善するために、前記複数のキャリアの品質測定値に少なくとも部分的に基づいて、おのおのが前記複数のキャリアのうちの１つに関連する複数の復調器に、前記復調フィンガを割り当てる手段と、
全体スループットにおける予測された変化に少なくとも部分的に基づいて、前記複数の復調器のうちの第１の復調器から第２の復調器へ、１または複数の復調フィンガを再割当する手段と、ここで、前記全体スループットにおける予測された変化は、前記第１の復調器に関連する周波数キャリアのパケット誤り率（ＰＥＲ）における可能性のある変化に少なくとも部分的に基づいて予測される、
を備える無線通信装置。
【請求項１３】
前記品質測定値は、所望の信号品質を達成するように前記信号を復調するために必要とされるリソースの量と、前記複数の周波数キャリアのおのおのによって送信された信号とから決定された信号対雑音比（ＳＮＲ）である請求項１２に記載の装置。
【請求項１４】
前記品質測定値は、前記複数の周波数キャリアのおのおのによって受信されたデータのパケット誤り率（ＰＥＲ）である請求項１２に記載の装置。
【請求項１５】
前記第１の復調器および／または前記第２の復調器に関連する周波数キャリアの品質測定値における変化に少なくとも部分的に基づいて、前記第１の復調器から前記第２の復調器へ、前記１または複数の復調フィンガを再割当し、その結果、増大された全体スループットをもたらすようにした手段をさらに備える請求項１２に記載の装置。
【請求項１６】
コンピュータ読取可能な記録媒体であって、
少なくとも１つのコンピュータに対して、信号が受信された複数のキャリアに関する複数の信号対雑音比（ＳＮＲ）および／またはパケット誤り率（ＰＥＲ）を受信させるためのコードと、
前記少なくとも１つのコンピュータに対して、前記複数のＳＮＲおよび／またはＰＥＲを比較させ、増大された合計スループットにおいて前記信号を復調する複数の復調器への、レーキ受信機の復調フィンガの割当を決定させるためのコードと、
前記少なくとも１つのコンピュータに対して、前記割当にしたがって、前記複数の復調器に、前記レーキ受信機の復調フィンガを割り当てさせるためのコードと、
前記少なくとも１つのコンピュータに対して、全体スループットにおける予測された変化に少なくとも部分的に基づいて、前記複数の復調器のうちの第１の復調器から第２の復調器へ、１または複数の復調フィンガを再割当させるためのコードと、ここで、前記全体スループットにおける予測された変化は、前記第１の復調器に関連する周波数キャリアのパケット誤り率（ＰＥＲ）における可能性のある変化に少なくとも部分的に基づいて予測される、を記録するコンピュータ読取可能な記録媒体。
【請求項１７】
少なくとも１つのコンピュータに対して、前記第１の復調器および／または前記第２の復調器に関連する周波数キャリアの品質測定値における変化に少なくとも部分的に基づいて、前記第１の復調器から前記第２の復調器へ、前記１または複数の復調フィンガを再割当させ、その結果、増大された全体スループットをもたらすようにしたコード、をさらに記録した請求項１６に記載のコンピュータ読取可能な記録媒体。
【請求項１８】
少なくとも１つのコンピュータに対して、前記割当にしたがって、前記信号の復調から得られたシンボルを復号するために、前記レーキ受信機の復調フィンガを、時間ベースで割り当てさせるためのコード、をさらに記録した請求項１６に記載のコンピュータ読取可能な記録媒体。
【請求項１９】
装置であって、
信号が受信された複数の周波数キャリアの信号対雑音比（ＳＮＲ）および／またはパケット誤り率（ＰＥＲ）を測定するＳＮＲ／ＰＥＲメジャラ（measurer）と、
複数の受信機のＳＮＲおよび／またはＰＥＲを比較し、前記信号を復調する複数の復調器への復調フィンガの適切な割当を決定するフィンガ・アロケータと
を備え、
前記フィンガ・アロケータはさらに、全体スループットにおける予測された変化に少なくとも部分的に基づいて、前記複数の復調器のうちの第１の復調器から第２の復調器へ、１または複数の復調フィンガを再割当することと、ここで、前記全体スループットにおける予測された変化は、前記第１の復調器に関連する周波数キャリアのパケット誤り率（ＰＥＲ）における可能性のある変化に少なくとも部分的に基づいて予測される、装置。
【請求項２０】
前記複数の周波数キャリアによる前記信号を同時に受信するレーキ受信機をさらに備える請求項１９に記載の装置。
【請求項２１】
前記全体スループットにおける変化は、前記再割当に少なくとも部分的に基づいて、前記第１の復調器に関連する周波数キャリアにおいて可能性のあるＳＮＲの増加、および／または、ＰＥＲの減少に少なくとも部分的に基づいて予測される請求項１９に記載の装置。
【請求項２２】
前記全体スループットにおける変化は、前記再割当に少なくとも部分的に基づいて、前記第２の復調器に関連する周波数キャリアにおいて可能性のあるＳＮＲの減少、および／または、ＰＥＲの増加に少なくとも部分的に基づいて予測される請求項２０に記載の装置。
【請求項２３】
前記１または複数の復調フィンガが、イコライザによって受信された１または複数の信号を復調するために割り当てられた複数の復調器のうちの少なくとも１つに関連付けられる、請求項１９に記載の装置。
【発明の詳細な説明】
【技術分野】
【０００１】
以下の記載は、一般に、無線通信に関し、さらに詳しくは、マルチキャリア無線通信受信機におけるフィンガ割当に関する。
【背景技術】
【０００２】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００３】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００４】
一般に、ＭＩＭＯシステムは、データ送信のために、複数（ＮＴ個）の送信アンテナと複数（ＮＲ個）の受信アンテナとを使用する。アンテナは、基地局とモバイル・デバイスとの両方に関連しており、一例では、無線ネットワークにおけるデバイス間の双方向通信を可能とする。さらに、モバイル・デバイスおよび／または基地局は、同じ期間において、複数の周波数で情報を受信する広帯域トランシーバ（例えば、レーキ受信機）を適用しうる。広帯域トランシーバの各受信機すなわちレーキは、所与の受信機で受信したデータを復調するために適用される固定リソースを有する。モバイル・デバイスおよび／または基地局は、そのようなトランシーバを用いて、多くのソースから到来する情報を同時に受信し復調しうる。この結果、合計データ・スループットが増大する。
【発明の概要】
【０００５】
以下は、１または複数の実施形態の基本的な理解を与えるために、これら実施形態の簡略化された概要を提供する。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００６】
１または複数の実施形態および対応する開示によれば、さまざまな態様が、増大したスループットを提供するために、マルチキャリア・トランシーバの複数の受信機に対する動的なリソース割当を容易にすることに関連して記載される。一例によれば、割当を与えられた複数の受信機のスループットのレベルを判定することに少なくとも部分的に基づいてリソースが割り当てられうる。これは、例えば、受信されているキャリアのパケット誤り率（ＰＥＲ）または信号対雑音比（ＳＮＲ）のようなキャリアの品質測定値に少なくとも基づきうる。ＳＮＲおよび／またはＰＥＲを用いて、各キャリアを受信するための所望のリソースのレベルが判定されうる。これにしたがって、これらリソースが、利用可能な受信機に割り当てられうる。
【０００７】
関連する態様によれば、広帯域無線通信受信機のために復調リソースを動的に割り当てる方法が提供される。この方法は、信号が受信された複数の周波数キャリアに関連する複数の品質測定値を受信することを含む。さらに、この方法は、これら品質測定値を比較し、増大した合計スループットにおいて信号を復調するため複数の復調器へのリソースの割当を決定することと、この割当にしたがって、復調器にリソースを割り当てることとを含む。
【０００８】
別の態様は、無線通信装置に関する。この無線通信装置は、信号が受信され復調された複数のキャリアに関するＳＮＲおよび／またはＰＥＲを判定し、ＳＮＲおよび／またはＰＥＲに影響を与える複数の復調器にリソースを動的に割り当て、適切な割当を決定するように構成された少なくとも１つのプロセッサを含みうる。さらに、このプロセッサは、適切な割当を利用する復調器によって信号を復調するように構成される。
【０００９】
さらに別の態様は、マルチキャリア受信機復調リソースの動的な割当を容易にする無線通信装置に関する。この無線通信装置は、信号が受信された複数のキャリアの品質測定値を受信する手段を備えうる。この無線通信装置はさらに、合計スループットを改善するために、複数のキャリアの品質測定値に少なくとも部分的に基づいて、おのおのが複数のキャリアのうちの１つに関連する複数の復調器に、復調リソースを割り当てる手段を含みうる。
【００１０】
また別の態様は、少なくとも１つのコンピュータに対して、信号が受信された複数のキャリアに関連する複数のＳＮＲおよび／またはＰＥＲを受信させるためのコードを含むコンピュータ読取可能媒体を有しうるコンピュータ・プログラム製品に関する。このコンピュータ読取可能媒体はまた、少なくとも１つのコンピュータに対して、複数のＳＮＲおよび／またはＰＥＲを比較させ、増大した合計スループットにおいて信号を復調する複数の復調器へのリソースの割当を決定させるためのコードを備えうる。さらに、このコンピュータ読取可能媒体は、少なくとも１つのコンピュータに対して、この割当にしたがって、復調器にリソースを割り当てさせるためのコードを備えうる。
【００１１】
別の態様は、装置に関する。この装置は、信号が受信された複数の周波数キャリアのＳＮＲおよび／またはＰＥＲを測定するＳＮＲ／ＰＥＲメジャラ（measurer）のみならず、複数の受信機のＳＮＲおよび／またはＰＥＲを比較し、信号を復調する複数の復調器への復調フィンガの適切な割当を決定するフィンガ・アロケータを備える。
【００１２】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００１３】
【図１】図１は、本明細書に記載されたさまざまな態様にしたがう無線通信システムの例示である。
【図２】図２は、無線通信環境において適用される通信装置の例の図示である。
【図３】図３は、レーキ受信機のための復調リソースの動的な割当を有効にする無線通信システムの例の図示である。
【図４】図４は、復調リソースを動的に割り当てるマルチキャリア受信機の例の図示である。
【図５】図５は、復調リソースを割り当てることを容易にする方法の例の図示である。
【図６】図６は、受信した利用可能な復調リソースを割り当てることを容易にする方法の例の図示である。
【図７】図７は、復調リソースの動的な割当および再割当を容易にするモバイル・デバイスの例の図示である。
【図８】図８は、本明細書に記載されたさまざまなシステムおよび方法と共に適用されうる無線ネットワーク環境の例の図示である。
【図９】図９は、復調リソースを動的に割り当てるシステムの例の図示である。
【発明を実施するための形態】
【００１４】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００１５】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００１６】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用することができ、アクセス・ポイント、ノードＢ、イボルブド・ノードＢ（ｅＮｏｄｅ  ＢあるいはｅＮＢ）、基地トランシーバ局（ＢＴＳ）、あるいはその他のいくつかの用語として称されうる。
【００１７】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００１８】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）などのような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。ＣＤＭＡ２０００およびＵＭＢは、「第３世代パートナシップ計画プロジェクト」（３ＧＰＰ２）と命名された組織からドキュメントに記述されている。本明細書に記載された技術はまた、例えば、１ｘＥＶ−ＤＯレビジョンＢあるいはその他のレビジョンなどのようなイボリューション・データ・オブティマイズド（ＥＶ−ＤＯ）規格において利用されうる。さらに、そのような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００１９】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２０】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２１】
基地局１０２は、例えばモバイル・デバイス１１６およびモバイル・デバイス１２２のような１または複数のモバイル・デバイスと通信しうる。しかしながら、基地局１０２は、モバイル・デバイス１１６およびモバイル・デバイス１２２に類似した実質的に任意の数のモバイル・デバイスと通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２２】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、図示するように、ピア・トゥ・ピアまたはアド・ホック技術を用いて互いにダイレクトに通信しうる。
【００２３】
例によれば、システム１００は、複数入力複数出力（ＭＩＭＯ）通信システムでありうる。さらに、システム１００は、（例えば、順方向リンクや逆方向リンクのような）通信チャネルを分割するために、例えばＦＤＤ、ＴＤＤ等のような実質的に任意のタイプのデュプレクス技術を使用しうる。一例において、基地局１０２および／またはモバイル・デバイス１１６／１２２は、統合されうることもされないこともありうる広帯域マルチキャリア・トランシーバ（例えば、レーキ受信機）を適用することによって、互いから、および／または、さらなるモバイル・デバイス／基地局から、情報を受信しうる。例えば、広帯域マルチキャリア・トランシーバ（図示せず）は、異なる周波数からの信号を同時に受信する複数の受信機を備えうる。したがって、基地局１０２および／またはモバイル・デバイス１１６／１２２は、所与の期間にわたって複数の信号を受信し復調しうるので、基地局１０２および／またはモバイル・デバイス１１６／１２２によって、増大したスループットが達成される。さらに、基地局１０２および／またはモバイル・デバイス１１６／１２２は、改善された構成のために、受信機にリソースを動的に割り当てうる。一例において、１または複数のキャリアの品質測定値における変化に少なくとも部分的に基づいて、リソースが動的に割り当てられうる。品質測定値は、信号対雑音比（ＳＮＲ）、パケット誤り率（ＰＥＲ）、その他のエネルギおよび／または干渉測定値等でありうる。
【００２４】
無線通信では、受信信号は、異なるＳＮＲを有しうる。送信され、さまざまな障害物に反射したり、あるいは、さまざまな障害物に遭遇した信号や、周波数スペクトルにおいて利用される周波数の位置等を含む多くの要因が、ＳＮＲに寄与しうる。さらに、ＳＮＲは、信号のエネルギや、信号について生成され適切に受信されたマルチパスのみならず、信号および／またはマルチパスを復調するために利用可能なリソースに少なくとも部分的に基づいて決定されうる。信号が高いＳＮＲを有する場合、復号するために、より少ない数のマルチパスしか生成されないので、信号に含まれるデータを解釈するため、信号を効率的に復調するために、より少ない量のリソースしか必要とされない。したがって、基地局１０２および／または無線デバイス１１６／１２２は、信号のために受信されたマルチパスの数に基づいて、受信された複数の信号の品質測定値として、ＳＮＲを測定または推定しうる。さらに、無線デバイス１１６／１２２は、これらＳＮＲを比較し、利用可能なリソースを、受信機に対して、比例的に割り当てうる。別の例では、利用可能なリソースを割り当てるためのキャリアの品質測定値として、キャリアに対するＰＥＲ測定値が利用されうる。また別の例では、復調された信号を復号するためのリソースの、同様に比例する時間ベースの割当が提供される。この点に関し、広帯域マルチキャリア受信機の改善されたパフォーマンスが達成されうる。
【００２５】
図２に移って、無線通信環境内で適用される通信装置２００が例示される。通信装置２００は、基地局またはその一部であるか、モバイル・デバイスまたはその一部であるか、無線通信環境で送信されたデータを受信する実質的に任意の通信装置でありうる。通信装置２００は、異なる周波数キャリアによって複数の信号を同時に受信しうるマルチキャリア受信機２０２と、キャリアによって受信された信号のＳＮＲを判定しうるＳＮＲメジャラ２０４と、受信した信号を復調するための最適なリソース割当を決定しうるリソース・アロケータ２０６とを含みうる。一例において、マルチキャリア受信機２０２は、（例えば、マルチキャリア受信機２０２内に含まれる複数の受信機によって、）１または複数のデバイスからの異なる周波数の複数の信号を受信しうる。ＳＮＲメジャラ２０４は、利用可能な復調リソースのみならず、例えばパイロット信号のような信号、および／または、信号の周波数に関連するその他の信号のＳＮＲを判定し、ＰＥＲメジャラ２０６は、信号のＰＥＲを判定し、リソース・アロケータ２０８は、信号を復調および／または復号するためのリソースを、改善された合計スループットを用いて比例配分しうる。
【００２６】
例によれば、ＳＮＲメジャラ２０４は、マルチキャリア受信機２０２によって１または複数のキャリアによって受信されたパイロット信号を、信号を復調するために利用可能なリソース数を用いて評価することによって、１または複数のキャリアによって受信した信号のＳＮＲを判定しうる。測定されたＳＮＲは、信号送信のためのデータ・レートを判定するために利用されうる。ＳＮＲは、周波数の信号伝搬特性、現在干渉している周波数ジャマにおける相違、受信機における周波数の復調特性における相違等を含む多くの要因に基づいて、キャリア毎に変化しうることが認識されるべきである。さらに、キャリアにわたる信号送信のためのデータ・レートは、非線形的に変化しうる。例えば、低いＳＮＲにおいて２デシベル増加しても、高いＳＮＲにおける２デシベルの増加と同じデータ・レート増加にはならない。
【００２７】
この点に関し、ＳＮＲメジャラ２０４は、信号を復調するために利用可能なリソースに基づいて、所与の時間において、マルチキャリア受信機２０２で各キャリアによって受信された信号のＳＮＲを判定する。リソース・アロケータ２０８は、その後、通信装置２００の合計スループットを改善するために、キャリアによって受信された信号を復調するための適切な割当を決定するために、さまざまな復調リソース割当を利用して、キャリアのＳＮＲを比較しうる。このような動的なリソース割当によって、キャリアによって同時に受信された信号の改善された復調が可能となる。一例において、これらリソースは、各受信機に利用可能な復調フィンガでありうる。これらリソースは、受信機に対応するキャリアによって受信された信号の所与のマルチパスを復調するために利用されるリソースの集合でありうる。復調後、同じキャリアの異なるマルチパスを復調している受信機の別のフィンガからの結果が結合され、受信信号が解釈される。したがって、複数の周波数キャリアの改善された復調を達成するために、これらフィンガが、動的に割り当てられる。
【００２８】
さらに、リソースが割り当てられると、説明したように、信号のＳＮＲが、さまざまな要因にしたがって変化しうる。この変化は、リアルタイムで生じうる。したがって、ＳＮＲメジャラ２０４は、マルチキャリア受信機２０２による現在のリソース割当に基づいて、信号のＳＮＲを測定し続けうる。これら信号のうちの１つについて、（例えば、信号品質、ＳＮＲ、ＰＥＲ等のような）品質測定値が変化し、例えば、リソースの再割当が、通信装置２００のための合計スループットを改善する結果となった場合、リソース・アロケータ２０８は、この変化に適合するために、１つの信号から別の信号へとリソースを再割当しうる。上記の例において、フィンガが、複数の受信機に割り当てられた場合、キャリアによって受信された１つの信号のＳＮＲが（例えば、信号劣化によって）しきい値よりも低下すると、この受信機に対して、高いＳＮＲを持つ信号を受信している受信機から、フィンガが再割当されうる。同様に、（例えば、信号の改善、および／または、マルチパス数の減少によって、）キャリアによって受信された信号に関するＳＮＲが改善する場合、マルチキャリア受信機２０２のために、改善された合計スループットを提供するために、低いＳＮＲを持つ別の信号を受信している受信機にリソースが再割当されうる。例えば、受信機のうちの１または複数によって解放されているリソースのようなリソースが、他のイベントにも同様に基づいて割り当てられうることが認識されるべきである。
【００２９】
別の例において、パケット誤り率メジャラ２０６は、１または複数のキャリアのＰＥＲを判定しうる。これは、例えば、（パイロット信号のような）受信された１または複数の信号に基づいてＰＥＲを測定することに基づきうる。キャリアが、他のキャリアよりも高いＰＥＲを示す場合、リソース・アロケータ２０８は、このキャリアによって受信された信号を復調するために、より多くの復調リソースを割り当てうる。さらに、ＰＥＲの変化が検出された場合、リソース・アロケータ２０８は、例えば、同時に受信された信号の改善された復調を可能にするために、キャリアのデータ・スループット・レートを減少するのではなく、（例えば、復調フィンガ間で）リソースをシフトさせうる。さらに、リソース・アロケータ２０８によって、時間ベースの復号リソースが同様に割り当てられうる。例えば、リソース・アロケータ２０８は、信号から復調されたシンボルの効率的な復号を可能にするために、低いスループットを持つキャリアではなく、高いスループットを持つキャリアに対して、より多くの復号リソースを割り当てうる。
【００３０】
図３を参照して、マルチキャリア受信機のために復調リソースを動的に割り当てうる無線通信システム３００が例示されている。各無線デバイス３０２、３０４、３０６は、基地局、モバイル・デバイス、または、これらの一部でありうる。一例において、無線デバイス３０２は、順方向リンクすなわちダウンリンク・チャネルによって、無線デバイス３０４および／または無線デバイス３０６へ情報を送信しうる。さらに、その逆に、無線デバイス３０２は、逆方向リンクすなわちアップリンク・チャネルによって、無線デバイス３０４および／または無線デバイス３０６から情報を受信しうる。さらに、システム３００は、ＭＩＭＯシステムでありうる。また、無線デバイス３０２、３０４、３０６は、複数のキャリアによって、互いに同時に通信しうる。さらに、無線デバイス３０２において、図示されるとともに、以下に説明される構成要素および機能は、一例として、逆に、無線デバイス３０４および／または無線デバイス３０６内にもまた同様に存在しうる。図示する構成は、説明を簡単にするために、これら構成要素を除外している。
【００３１】
無線デバイス３０２は、複数の周波数キャリアから信号を同時に受信しうるレーキ受信機３０８と、複数の周波数キャリアのＳＮＲ、ＰＥＲ、および／または、その他の品質測定値を判定しうるＳＮＲ／ＰＥＲメジャラ３１０と、ＳＮＲ、ＰＥＲ、および／または、その他の品質測定値にしたがって、レーキ受信機３０８内の受信機間に、復調フィンガ（またはその他のリソース）を分配しうるフィンガ・アロケータ３１２と、高いＳＮＲを持ち、固定チャネルによって受信された情報を受信するために利用されうるイコライザ３１４とを含む。例によれば、レーキ受信機３０８の復調フィンガを、イコライザ３１４を用いることによって、他の受信機とともに使用するために解放しうる。なぜなら、無線デバイス３０２が、無線デバイス３０４および／または無線デバイス３０６に近接している場合、イコライザ３１４は、固定チャネルに対して極端に高いＳＮＲで通信するからである。
【００３２】
無線デバイス３０４は、増大した送信スループットのために、複数のキャリアによって複数の信号を同時に送信するために利用されうるマルチキャリア送信機３１６を含む。例によれば、マルチキャリア送信機３１６は、複数の送信機によって１または複数の信号を同時に送信しうる。これら信号は、レーキ受信機３０８によって完全にまたは部分的に受信されうる。さらに、無線デバイス３０６は、１または複数の信号を送信しうる。これら信号はまた、レーキ受信機３０８によって別の周波数で受信されうる。ＳＮＲ／ＰＥＲメジャラ３１０は、無線デバイス３０４および／または無線デバイス３０６によって送信されたパイロット信号に少なくとも部分的に基づいて、周波数におけるＳＮＲおよび／またはＰＥＲを測定しうる。例えば、信号品質を達成するために、多くのマルチパスを復調するために、追加された量のリソースを信号が必要とする周波数は、同じ信号品質を達成するために、少ない量のリソースしか必要されない周波数よりも低いＳＮＲを有しうる。フィンガ・アロケータ３１２は、説明したように、ＳＮＲ／ＰＥＲ測定値にしたがって、信号のためにフィンガ復調リソースを提供しうる。したがって、フィンガ・アロケータ３１２は、例えば、パイロット信号測定値にしたがって低いＳＮＲを示したり、および／または、他のキャリアよりも高いＰＥＲを示すキャリアによって信号を受信するレーキ受信機３０８の受信機に、より多くの復調フィンガを提供しうる。
【００３３】
さらに、説明するように、ＳＮＲ／ＰＥＲメジャラ３１０は、さまざまなキャリアにおけるＳＮＲ／ＰＥＲをモニタしうる。ＳＮＲおよび／またはＰＥＲが、所与のキャリアについて、しきい値を越えて変化した場合、フィンガ・アロケータ３１２は、レーキ受信機３０８の１つの受信機から、復調フィンガを取り除き、レーキ受信機３０８のその他の１または複数の受信機に提供する。例えば、説明するように、受信機が、パイロット信号から測定されたＳＮＲにおける減少を経験したか、および／または、関連するキャリアのＰＥＲにおける増加を経験した場合、高いＳＮＲおよび／または低いＰＥＲ持つ受信機から復調フィンガが取り除かれ、減少したＳＮＲおよび／または高いＰＥＲを持つキャリアに関連付けられた受信機へ割り当てられる。同様に、受信機が、ＳＮＲにおける増加、および／または、ＰＥＲにおける減少を経験した場合、フィンガ・アロケータ３１２は、復調フィンガを取り除き、低いＳＮＲを経験している受信機へと再割当を行い、受信した信号を復調するために追加のリソースを割り当てることによって、ＳＮＲが高められる。さらに、あるいは、その代わりに、高いＰＥＲを経験している受信機に対して、同様にリソースが再割当されうる。さらに、フィンガが使用された後に１または複数の受信機によって解放された場合、あるいは、その他のフィンガが利用可能になった場合に、フィンガが再割当されうる。
【００３４】
一例において、フィンガ・アロケータ３１２は、リソース再割当スキームに基づいて結果的に得られたＳＮＲ／ＰＥＲを比較することによって、合計スループットにおける改善を予測するために、式を利用しうる。復調フィンガ割当のためのキャリアＣを選択するための式の例は、  
【数１】
0005442738.tif 000002
【００３５】
であり、ここで、ＳＮＲｉ，ｊは、キャリアｉ（ここで、ｉ＝０，１，２，・・・，であり、ｊ＝０，１，２，・・・である。）に割り当てられたｊ番目のフィンガのＳＮＲであり、Ｊｉは、キャリアｉに現在割り当てられているフィンガの数であり、ＳＮＲｉは、  
【数２】
0005442738.tif 000003
【００３６】
であり、キャリアｉからの合計ＳＮＲであり、Ｒｉ（ＳＮＲ）は、ＳＮＲの関数でありキャリアｉにおいて要求されるデータ・レートである。したがって、復調フィンガが割当のために利用可能である場合、フィンガ・アロケータ３１２は、上記式において最も高い値を示すキャリアを判定し、このキャリアを受信している受信機に、利用可能な復調フィンガを割り当てうる。別の例において、フィンガ・アロケータ３１２は、この式を用いて、復調フィンガのより最適な配分を決定しうる。例えば、フィンガ・アロケータ３１２は、個々の受信機に割り当てるための、復調フィンガの数を決定する。その結果、他の受信機に関して、各受信機のために最も類似した測定値が得られる。この構成が決定されると、フィンガ・アロケータ３１２は、一例において、決定された構成にマッチさせるために、復調フィンガを調節し、受信機間にこれら復調フィンガを再割当しうる。
【００３７】
さらに、説明するように、イコライザ３１４は、１または複数のキャリアを受信するために利用されうる。例えば、無線デバイス３０２が、無線デバイス３０４および／または無線デバイス３０６に近接しており、固定チャネルによって信号を受信している場合、イコライザ３１４が、レーキ受信機３０８の変わりに利用されうる。この実施では、イコライザ３１４によって受信された信号は、高いＳＮＲを有しているので、フィンガ・アロケータ３１２は、復調フィンガを割り当てるために、イコライザ３１４によってレーキ受信機３０８によって受信されたキャリアにバイアスをかけうる。
【００３８】
図４に移って、無線通信ネットワークにおいて利用されるマルチキャリア受信機４００の例が図示される。複数のキャリアによって信号を同時に受信しうる広帯域受信機４０２が提供される。広帯域受信機４０２によって受信された信号を、例えば同相／求積（Ｉ／Ｑ）サンプルへ反復する複数のチャネル選択リピータ（ＣＳＲ）４０４が、所与のキャリアによって受信された信号をフィルタしうる複数のキャリア受信機フィルタ４０６とともに提供される。さらに、その後の復調のために、フィルタされた信号／サンプルを格納するための複数のサンプル・ランダム・アクセス・メモリ（ＲＡＭ）４０８が提供される。したがって、キャリアによって受信された信号の少なくとも一部を復調しうる複数の復調器４１０、４１２、４１４が提供される。図示するように、復調器４１０、４１２、４１４のそれぞれは、１または複数のＣＳＲ４０４、キャリア受信機フィルタ４０６、およびサンプルＲＡＭ４０８のそれぞれに関連付けられうる。さらに、各復調器４１０、４１２、４１４はそれぞれ、本明細書に記載されたようなキャリアによって受信された、信号のマルチパスまたはそのサンプルを復調するために利用されうる１または複数のフィンガ４１６−４２６に関連付けられうる。
【００３９】
例によれば、広帯域受信機４０２は、複数のキャリアによって、複数の信号を受信しうる。ＣＳＲ４０４は、所望の信号が送信されるチャネルまたは周波数の一部を、キャリア受信機フィルタ４０６へ選択的に反復しうる。キャリア受信機フィルタ４０６は、それぞれのサンプルＲＡＭ４０８に格納するために、信号からＩ／Ｑサンプルをフィルタしうる。Ｉ／Ｑサンプルは、サンプルＲＡＭ４０８に格納されると、各復調器４１０、４１２、４１４によって復調されうる。復調器４１０、４１２、４１４は、一例において、サンプルを復調するために異なる技術を利用しうる。さらに、復調器４１０、４１２、４１４は各々、信号内の所与のマルチパスを復調するために、１または複数の復調フィンガ４１６−４２６が割り当てられる。説明するように、より多くのフィンガによって、高度な復調が可能となる。これは、低いＳＮＲを持つ信号のために役立つ。なぜなら、これら信号は、所望の信号品質を達成するために復調が必要とされる多くのマルチパスを有しうるからである。さらに、これら信号は、高いＰＥＲを有しうる。したがって、本明細書に記載されるように、フィンガ４１６−４２６は、広帯域受信機によって受信された各信号のＳＮＲおよび／またはＰＥＲに少なくとも部分的に基づいて、復調器４１０、４１２、４１４間に動的に割り当てられうる。
【００４０】
さらに、フィンガ４１６−４２６は、ある復調器から別の復調器へと動的に再割当されうる。これは例えば、所与の信号品質を達成するために必要とされるマルチパスの数に基づいて測定されたような、しきい値ＰＥＲおよび／またはＳＮＲ未満のキャリアにおける信号に、復調器４１０のような復調器が遭遇した場合に生じうる。この例において、復調器４１２、４１４が、１または複数のフィンガ４２０−４２６を省く場合、信号の他のマルチパスを復調するために、フィンガ（単数または複数）が復調器４１０に再割当されうる。これによって、広帯域受信機４００の合計スループットが改善される。同様に、復調器４１０が、復調のために、（しきい値よりも）高いＳＮＲおよび／または低いＰＥＲを受信した場合、別のマルチパスを復調する必要があれば、復調器の信号のＳＮＲおよび／またはＰＥＲに基づいて、フィンガ４１６および／またはフィンガ４１８のうちの１または複数が、復調器４１２または復調器４１４へ再割当されうる。前述したように、各キャリアのＳＮＲ／ＰＥＲに基づいて、改善されたリソース分配を提供する割当スキームを決定することに基づいてフィンガ再割当が実行されうることが認識されるべきである。これは、フィンガをどこに割り当てるのかを決定する場合、リソースの必要性を測定するために、一例において、上記で提供された式を用いて実行されうる。
【００４１】
別の例において、フィンガは、復調器４１０、４１２、４１４のうちの１または複数による使用後に利用可能になりうる。例えば、復調器４１４は、復調を完了した場合、および／または、他の復調器がフィンガを必要とする場合、１または複数のフィンガ４２２−４２６を解放しうる。この場合、関連するキャリアによって受信された信号のＳＮＲ／ＰＥＲに少なくとも部分的に基づいて、復調器４１０または復調器４１２への割当がより最適になるかを判定するために、上記式が利用されうる。説明するように、一例において、各キャリアのＳＮＲ／ＰＥＲは、マルチキャリア受信機４００のうちの１または複数の構成要素によって判定され、ＳＮＲ／ＰＥＲは、キャリアによって送信されたパイロット信号に基づきうることが認識されるべきである。別の例において、フィンガ４１６−４２６の割当および／または再割当は、別のオフライン・フィンガによって実行されうる。
【００４２】
図５および図６を参照して、広帯域無線通信受信機における復調フィンガの動的割当に関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００４３】
図５に移って、広帯域受信機の復調リソースを割り当てることを容易にする方法５００が示される。５０２では、ＳＮＲおよび／またはＰＥＲが、複数のキャリアによって測定される。例えば、説明するように、キャリアは、受信機における復調特性、ジャマ、信号伝搬特性等を含むさまざまな要因に基づいて、受信機に関して別のＳＮＲおよび／またはＰＥＲを示しうる。したがって、一例では、パイロット信号の早期の評価によって判定されるように、各キャリアは、異なる信号品質を有しうるので、各キャリアについて、ＳＮＲ／ＰＥＲが独立して測定されうる。５０４では、説明するように、どのキャリアが、より高い、または、より低いＳＮＲ／ＰＥＲを有しているかを判定するために、ＳＮＲおよび／またはＰＥＲが、複数のキャリアにわたって比較されうる。これによって、信号品質を達成する多くのマルチパスを復調するために、より多いまたはより少ない復調リソースを必要とする。５０６では、別の送信機から、複数のキャリアによってデータが受信される。このデータは、例えば、１または複数の無線通信信号でありうる。５０８では、復調リソースが、ＳＮＲおよび／またはＰＥＲにしたがって、複数のキャリアに割り当てられうる。したがって、説明するように、改善された合計スループットを提供するために、高いＳＮＲおよび／または低いＰＥＲを有するキャリアに関連する復調器は、低いＳＮＲおよび／または高いＰＥＲを有するキャリアに関連する復調器よりも、少ないリソースしか受信しない。
【００４４】
図６に移って、マルチキャリア受信機復調のためのリソースを再割当する方法６００が例示される。６０２では、利用可能な復調リソースが受信される。上述したように、例えば、これらは、フィンガであるか、または、その他のプロセッサ／メモリ・リソースでありうる。６０４では、追加の変調リソースを最も必要とするキャリアが決定されうる。このキャリアは、説明したように、受信したマルチキャリアに関連する実質的にすべてのキャリアのＳＮＲ測定値および／またはＰＥＲ測定値を比較することによって決定されうる。この比較は、上述した式を利用することによって、最も必要とするキャリアを計算することを含みうる。６０６では、合計スループットを改善するために、（例えば、この計算に基づいて）最も必要とするキャリアへ、復調リソースが再割当されうる。６０８では、キャリアによって受信された信号を復調するために、リソースが利用されうる。この点に関し、改善された合計スループットを提供するために、（例えば、説明したように、完全な利用によって、および／または、１または複数の復調器による必要性を検知することによって）利用可能になったリソースが、再割当されうる。
【００４５】
本明細書に記載された１または複数の態様によれば、説明するように、追加のリソースが必要な１または複数のキャリアおよび／またはＳＮＲを判定することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。一例において、復調リソース再割当が広帯域トランシーバの受信機に対して有用になる時を判定する際に、および／または、利用可能な復調リソースに部分的に基づいてキャリアのＳＮＲを測定する際に、推論がなされうる。
【００４６】
図７は、広帯域受信機のための動的な復調リソース割当を容易にするモバイル・デバイス７００の実例である。モバイル・デバイス７００は、例えば（図示しない）１または複数の受信アンテナからの複数の信号を受信し、これら受信した信号に対して一般的な動作（例えば、フィルタ、増幅、ダウンコンバート等）を実行し、これら調整された信号をデジタル化して、サンプルを取得する。本明細書に記載されるように、広帯域受信機７０２は、チャネル推定のために、各信号から受信したシンボルの復調と、これらシンボルのプロセッサ７０６への提供とを行う複数の復調器７０４を備えうる。プロセッサ７０６は、広帯域受信機７０２によって受信された情報の分析、および／または、送信機７１６による送信のための情報の生成に特化されたプロセッサ、モバイル・デバイス７００のうちの１または複数の構成要素を制御するプロセッサ、および／または、広帯域受信機７０２によって受信された情報を分析と、送信機７１６による送信のための情報の生成と、モバイル・デバイス７００の１または複数の構成要素の制御との両方を行うプロセッサでありうる。
【００４７】
モバイル・デバイス７００はさらに、プロセッサ７０６に動作可能に接続されたメモリ７０８を備える。このメモリは、送信されるべきデータと、受信したデータと、利用可能なチャネルに関連する情報と、分析された信号および／または干渉強度に関連付けられたデータと、割り当てられたチャネル、電力、レート等に関連する情報と、チャネルの推定およびチャネルを介した通信のために適切なその他任意の情報とを格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００４８】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ７０８は、限定される訳ではないが、これらおよびその他任意の適切なタイプのメモリを備えることが意図される。
【００４９】
広帯域受信機７０２はさらに、ＳＮＲや、ＰＥＲや、および／または、信号が広帯域受信機７０２によって受信される１または複数のキャリアのその他の品質測定値を判定しうるＳＮＲ／ＰＥＲメジャラ７１０に動作可能に接続されうる。説明するように、ＳＮＲは、多くの要因に基づきうり、所与の各キャリアについて変化しうる。広帯域受信機７０２および／またはプロセッサ７０４はさらに、復調リソースを復調器７０４へ分配するリソース・アロケータ７１２に接続されうる。説明するように、復調器７０４は、異なるＳＮＲ／ＰＥＲを持つ各キャリアを解釈する。これによって、復調リソースの比例配分によって、広帯域受信機７０２の改善された合計スループットが可能とされる。モバイル・デバイス７００はさらに、信号を変調する変調器７１４と、信号を例えば基地局や他のモバイル・デバイス等へ送信する送信機７１６とを備える。プロセッサ７０６と別に示されているが、ＳＮＲ／ＰＥＲメジャラ７１０、リソース・アロケータ７１２、復調器７０４、および／または、変調器７１４は、プロセッサ７０６または複数のプロセッサ（図示せず）の一部でありうることが認識されるべきである。
【００５０】
図８は、無線通信システム８００の例を示す。無線通信システム８００は、簡潔さの目的で、１つの基地局８１０と１つのモバイル・デバイス８５０とを示している。しかしながら、システム８００は、１より多い基地局、および／または、１より多いモバイル・デバイスを含むことができ、これら追加の基地局および／またはモバイル・デバイスは、以下に説明する基地局８１０およびモバイル・デバイス８５０の例と実質的に同じでも、別のものでもありうることが認識されるべきである。さらに、基地局８１０および／またはモバイル・デバイス８５０は、その間の無線通信を容易にするために、本明細書で記載されたシステム（図１乃至４および図７）および／または方法（図５乃至６）を適用しうることが認識されるべきである。
【００５１】
基地局８１０では、多くのデータ・ストリームのためのトラフィック・データが、データ・ソース８１２から送信（ＴＸ）データ・プロセッサ８１４へ提供される。一例によれば、おのおののデータ・ストリームが、それぞれのアンテナを介して送信される。ＴＸデータ・プロセッサ８１４は、トラフィック・データ・ストリームをフォーマットし、このデータ・ストリームのために選択された特定の符合化スキームに基づいて符号化し、インタリーブして、符合化されたデータを提供する。
【００５２】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス８５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ８３０によって実行または提供される指示によって決定されうる。
【００５３】
データ・ストリームの変調シンボルは、（例えば、ＯＦＤＭのために）変調シンボルを処理するＴＸ  ＭＩＭＯプロセッサ８２０に提供される。ＴＸ  ＭＩＭＯプロセッサ８２０はその後、ＮＴ個の変調シンボル・ストリームを、ＮＴ個の送信機（ＴＭＴＲ）８２２ａ乃至８２２ｔへ提供する。さまざまな実施形態において、ＴＸ  ＭＩＭＯプロセッサ８２０は、データ・ストリームのシンボル、および、そのシンボルが送信されるアンテナへ、ビームフォーミング重みを適用する。
【００５４】
おのおのの送信機８２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機８２２ａ乃至８２２ｔからのＮＴ個の変調信号は、ＮＴ個のアンテナ８２４ａ乃至８２４ｔそれぞれから送信される。
【００５５】
モバイル・デバイス８５０では、送信された変調信号は、ＮＲ個のアンテナ８５２ａ乃至８５２ｒによって受信され、おのおののアンテナ８５２から受信された信号が、それぞれの受信機（ＲＣＶＲ）８５４ａ乃至８５４ｒへ提供される。おのおのの受信機８５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００５６】
ＲＸデータ・プロセッサ８６０は、ＮＲ個の受信機８５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ８６０は、検出されたおのおののシンボル・ストリームを復調し、デインタリーブし、復号して、そのデータ・ストリームのためのトラフィック・データを復元する。ＲＸデータ・プロセッサ８６０による処理は、基地局８１０におけるＴＸ  ＭＩＭＯプロセッサ８２０およびＴＸデータ・プロセッサ８１４によって実行されるものと相補的である。
【００５７】
プロセッサ８７０は、上述したように、どの事前符合化行列を使用するのかを定期的に決定する。さらに、プロセッサ８７０は、行列インデクス部およびランク値部を備えた逆方向リンク・メッセージを規定することができる。
【００５８】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース８３６から受け取るＴＸデータ・プロセッサ８３８によって処理され、変調器８８０によって変調され、送信機８５４ａ乃至８５４ｒによって調整され、基地局８１０へ送り戻される。
【００５９】
基地局８１０では、モバイル・デバイス８５０からの変調信号が、アンテナ８２４によって受信され、受信機８２２によって調整され、復調器８４０によって復調され、ＲＸデータ・プロセッサ８４２によって処理されることにより、モバイル・デバイス８５０によって送信された逆方向リンク・メッセージが抽出される。さらに、プロセッサ８３０は、ビームフォーミング重みを決定するためにどの事前符合化行列を使用するかを決定するために、この抽出されたメッセージを処理する。
【００６０】
プロセッサ８３０およびプロセッサ８７０は、基地局８１０およびモバイル・デバイス８５０それぞれにおける動作を指示（例えば、制御、調整、管理等）する。プロセッサ８３０およびプロセッサ８７０はそれぞれ、プログラム・コードおよびデータを格納するメモリ８３２およびメモリ８７２に関連付けられうる。プロセッサ８３０およびプロセッサ８７０はまた、アップリンクおよびダウンリンクそれぞれのための周波数およびインパルス応答推定値を導出する計算をも実行する。
【００６１】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００６２】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００６３】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００６４】
図９を参照して、受信した信号を復調する広帯域受信機のリソースを動的に割り当てるシステム９００が例示される。例えば、システム９００は、基地局、モバイル・デバイス等の中に少なくとも部分的に存在しうる。システム９００は、プロセッサ、ソフトウェア、またはそれらの組み合わせ（例えば、ファームウェア）によって実現される機能を表す機能ブロックでありうる機能ブロックを含むものとして示されることが認識されるべきである。システム９００は、連携して動作しうる手段からなる論理グループ９０２を含む。例えば、論理グループ９０２は、信号が受信された複数のキャリアの品質測定値を受信する手段９０４を含みうる。例えば、説明するように、品質測定値は、ＳＮＲ、ＰＥＲ等でありうる。品質測定値から、キャリアによって受信された信号を復調する際の困難さが推論されうる。これによって、同時に受信された信号を復調するための最適なリソース割当を決定することが可能となりうる。さらに、論理グループ９０２は、合計スループットを改善するために、復調リソースを、複数のキャリアの品質測定値に少なくとも部分的に基づいて、複数のキャリアのうちの１つに各々が関連している複数の復調器へ割り当てる手段９０６を備えうる。したがって、説明するように、この割当は、各キャリアの品質測定値の比較に基づいて最適でありうる。さらに、システム９００は、手段９０４および手段９０６に関連付けられた機能を実行するための命令群を保持するメモリ９０８を含みうる。メモリ９０８の外側にあると示されているが、手段９０４および手段９０６のうちの１または複数が、メモリ９０８の内部に存在しうることが理解されるべきである。
【００６５】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。さらに、説明された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【００６６】
本明細書で開示された実施形態に関連して記述されたさまざまな例示的なロジック、論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。それに加えて、少なくとも１つのプロセッサは、上述したステップおよび／または動作のうちの１または複数を実行するように動作可能な１または複数のモジュールを備えうる。
【００６７】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、ある態様では、プロセッサと記憶媒体が、ＡＳＩＣ内に存在しうる。さらに、ＡＳＩＣは、ユーザ端末に存在することができる。あるいはプロセッサと記憶媒体とは、ユーザ端末内のディスクリート部品として存在することができる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００６８】
１または複数の態様では、説明された機能が、ハードウェア、ソフトウェア、ファームウェア、またはこれらの任意の組み合わせで実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされる利用可能な任意の媒体でありうる。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能媒体の範囲内に含まれるべきである。
以下に本願発明の当初の特許請求の範囲に記載された発明を付記する。
［Ｃ１］
広帯域無線通信受信機のために復調リソースを動的に割り当てる方法であって、
信号が受信された複数の周波数キャリアに関連する複数の品質測定値を受信することと、
これら品質測定値を比較し、増大した合計スループットにおいて信号を復調するため複数の復調器へのリソースの割当を決定することと、
前記割当にしたがって、前記復調器にリソースを割り当てることと
を備える方法。
［Ｃ２］
前記品質測定値は、指定された信号品質にしたがって前記信号を復調するために必要とされるリソースの量と、前記複数の周波数キャリアのおのおのによって送信された信号から決定された信号対雑音比（ＳＮＲ）であるＣ１に記載の方法。
［Ｃ３］
前記品質測定値は、前記複数の周波数キャリアのおのおのによって受信されたデータのパケット誤り率（ＰＥＲ）であるＣ１に記載の方法。
［Ｃ４］
前記リソースは、前記復調器に割り当てられた複数の復調フィンガを含むＣ１に記載の方法。
［Ｃ５］
第１の復調器および／または第２の復調器に関連する周波数キャリアの品質測定値における変化に少なくとも部分的に基づいて、前記第１の復調器から前記第２の復調器へと１または複数の復調フィンガを再割当し、その結果、増大された合計スループットをもたらすようにしたことをさらに備えるＣ４に記載の方法。
［Ｃ６］
前記第１の復調器に関連する周波数キャリアのＳＮＲにおける増加に少なくとも部分的に基づいて、前記第１の復調器から、前記第２の復調器へと、前記１または複数の復調フィンガが再割当されるＣ５に記載の方法。
［Ｃ７］
前記第２の復調器に関連する周波数キャリアのＳＮＲにおける減少に少なくとも部分的に基づいて、前記第１の復調器から、前記第２の復調器へと、前記１または複数の復調フィンガが再割当されるＣ５に記載の方法。
［Ｃ８］
前記割当は、利用可能なオフライン復調フィンガによって決定されるＣ４に記載の方法。
［Ｃ９］
前記リソースは、イコライザによって受信された１または複数の信号を復調するために割り当てられた復調器から受信されるＣ１に記載の方法。
［Ｃ１０］
前記割当にしたがって、前記信号の復調から得られたシンボルを復号するために、時間ベースの復号リソースを割り当てることをさらに備えるＣ１に記載の方法。
［Ｃ１１］
無線通信装置であって、
信号が受信され復調された複数のキャリアに関する信号対雑音比（ＳＮＲ）および／またはパケット誤り率（ＰＥＲ）を判定し、前記ＳＮＲおよび／またはＰＥＲに影響を与える複数の復調器にリソースを動的に割り当て、適切な割当を決定し、前記適切な割当を利用する復調器によって信号を復調するように構成された少なくとも１つのプロセッサと、
前記少なくとも１つのプロセッサに接続されたメモリと
を備える無線通信装置。
［Ｃ１２］
前記リソースは、前記復調器に割り当てられた複数の復調フィンガを含むＣ１１に記載の装置。
［Ｃ１３］
前記少なくとも１つのプロセッサはさらに、第１の復調器および／または第２の復調器に関連する周波数キャリアの品質測定値における変化に少なくとも部分的に基づいて、前記第１の復調器から前記第２の復調器へと１または複数の復調フィンガを再割当し、その結果、増大された合計スループットをもたらすＣ１２に記載の装置。
［Ｃ１４］
前記少なくとも１つのプロセッサはさらに、前記割当にしたがって、前記信号の復調から得られたシンボルを復号するために、時間ベースの復号リソースを割り当てるＣ１１に記載の装置。
［Ｃ１５］
マルチキャリア受信機復調リソースの動的な割当を容易にする無線通信装置であって、
信号が受信された複数のキャリアの品質測定値を受信する手段と、
合計スループットを改善するために、前記複数のキャリアの品質測定値に少なくとも部分的に基づいて、おのおのが前記複数のキャリアのうちの１つに関連する複数の復調器に、復調リソースを割り当てる手段と
を備える無線通信装置。
［Ｃ１６］
前記品質測定値は、指定された信号品質にしたがって前記信号を復調するために必要とされるリソースの量と、前記複数の周波数キャリアのおのおのによって送信された信号から決定された信号対雑音比（ＳＮＲ）であるＣ１５に記載の装置。
［Ｃ１７］
前記品質測定値は、前記複数の周波数キャリアのおのおのによって受信されたデータのパケット誤り率（ＰＥＲ）であるＣ１５に記載の装置。
［Ｃ１８］
前記リソースは、前記復調器に割り当てられた複数の復調フィンガを含むＣ１５に記載の装置。
［Ｃ１９］
第１の復調器および／または第２の復調器に関連する周波数キャリアの品質測定値における変化に少なくとも部分的に基づいて、前記第１の復調器から前記第２の復調器へと１または複数の復調フィンガを再割当し、その結果、増大された合計スループットをもたらすようにした手段をさらに備えるＣ１８に記載の装置。
［Ｃ２０］
コンピュータ読取可能媒体を備えるコンピュータ・プログラム製品であって、
前記コンピュータ読取可能媒体は、
少なくとも１つのコンピュータに対して、信号が受信された複数のキャリアに関連する複数の信号対雑音比（ＳＮＲ）および／またはパケット誤り率（ＰＥＲ）を受信させるためのコードと、
前記少なくとも１つのコンピュータに対して、前記複数のＳＮＲおよび／またはＰＥＲを比較させ、増大した合計スループットにおいて前記信号を復調する複数の復調器へのリソースの割当を決定させるためのコードと、
前記少なくとも１つのコンピュータに対して、前記割当にしたがって、前記復調器にリソースを割り当てさせるためのコードと
を備えるコンピュータ・プログラム製品。
［Ｃ２１］
前記リソースは、前記復調器に割り当てられた複数の復調フィンガを含むＣ２０に記載のコンピュータ・プログラム製品。
［Ｃ２２］
前記コンピュータ読取可能媒体はさらに、少なくとも１つのコンピュータに対して、第１の復調器および／または第２の復調器に関連する周波数キャリアの品質測定値における変化に少なくとも部分的に基づいて、前記第１の復調器から前記第２の復調器へと１または複数の復調フィンガを再割当させ、その結果、増大された合計スループットをもたらすようにしたコードを備えるＣ２１に記載のコンピュータ・プログラム製品。
［Ｃ２３］
前記コンピュータ読取可能媒体はさらに、少なくとも１つのコンピュータに対して、前記割当にしたがって、前記信号の復調から得られたシンボルを復号するために、時間ベースの復号リソースを割り当てさせるためのコードを備えるＣ２０に記載のコンピュータ・プログラム製品。
［Ｃ２４］
装置であって、
信号が受信された複数の周波数キャリアの信号対雑音比（ＳＮＲ）および／またはパケット誤り率（ＰＥＲ）を測定するＳＮＲ／ＰＥＲメジャラ（measurer）と、
複数の受信機のＳＮＲおよび／またはＰＥＲを比較し、信号を復調する複数の復調器への復調フィンガの適切な割当を決定するフィンガ・アロケータと
を備える装置。
［Ｃ２５］
前記フィンガ・アロケータは、前記適切な割当にしたがって、前記復調フィンガを前記復調器へ割り当てるＣ２４に記載の装置。
［Ｃ２６］
前記複数の周波数キャリアによって信号を同時に受信するレーキ受信機をさらに備えるＣ２４に記載の装置。
［Ｃ２７］
前記フィンガ・アロケータは、合計スループットにおける予測された変化に少なくとも部分的に基づいて、第１の復調器から第２の復調器へ１または複数の復調フィンガを再割当するＣ２４に記載の装置。
［Ｃ２８］
前記全体スループットにおける変化は、前記再割当に少なくとも部分的に基づいて、前記第１の復調器に関連する周波数キャリアにおいて可能性のあるＳＮＲの増加、および／または、ＰＥＲの減少に少なくとも部分的に基づいて予測されるＣ２７に記載の装置。
［Ｃ２９］
前記全体スループットにおける変化は、前記再割当に少なくとも部分的に基づいて、前記第２の復調器に関連する周波数キャリアにおいて可能性のあるＳＮＲの減少、および／または、ＰＥＲの増加に少なくとも部分的に基づいて予測されるＣ２７に記載の装置。
［Ｃ３０］
前記リソースは、イコライザによって受信された１または複数の信号を受信するために割り当てられた複数の復調器のうちの少なくとも１つから受信されたＣ２４に記載の装置。
【図１】
0005442738.tif 000004
【図２】
0005442738.tif 000005
【図３】
0005442738.tif 000006
【図４】
0005442738.tif 000007
【図５】
0005442738.tif 000008
【図６】
0005442738.tif 000009
【図７】
0005442738.tif 000010
【図８】
0005442738.tif 000011
【図９】
0005442738.tif 000012